(57)【要約】【課題】食器洗浄機の洗浄工程後のすすぎ工程で漂白を行う場合に、食器洗浄機を給湯接続設置して高温のお湯を供給すると、漂白成分の揮発により十分な漂白効果が得られなかったり、接水部品の劣化を促進する場合があった。【解決手段】洗浄水の温度を検出する温水温度検出手段の出力に応じて、洗浄水が高温であることを報知し、使用者が給湯設備の設定温度を変更できるようにした。また洗浄水が高温の場合には、洗浄水の放熱工程によって洗浄水の温度が低下してから漂白を行うようにした。【選択図】  図４
2004223165.tif 000002
【特許請求の範囲】
【請求項１】
食器等の被洗浄物を収納する洗浄槽と、該洗浄槽に洗浄水を供給する給水手段と、該給水手段で給水された洗浄水中に漂白成分を含有させる漂白手段と、該漂白成分を含有する洗浄水を噴射させて被洗浄物を漂白洗浄する洗浄手段と、該漂白成分を含有する洗浄水を洗浄槽から排出する排水手段とを備え、食器の漂白洗浄を行う漂白工程を含む複数の工程を実行する食器洗浄機において、漂白工程での給水中に洗浄水の温度を検知し、該温度が所定温度以上のときに、給水を停止して高温給水状態であることを報知して、一定時間経過後自動的にもしくはスイッチ操作により給水を再開することを特徴とする食器洗浄機。
【請求項２】
請求項１に記載の食器洗浄機において、前記報知は、前記漂白工程を実行する前の工程で供給された洗浄水の温度が前記所定温度以上のとき、該漂白工程での給水開始前に実行することを特徴とする食器洗浄機。
【請求項３】
請求項１乃至２に記載の食器洗浄機において、前記漂白工程で供給された洗浄水の温度が所定温度以上のときに、冷却手段により洗浄水を冷却することを特徴とする食器洗浄機。
【発明の詳細な説明】
【０００１】
【発明の属する技術分野】
本発明は、食器の洗浄、漂白、すすぎを行う食器洗浄機に関する。
【０００２】
【従来の技術】
従来のこの種の食器の洗浄、漂白、すすぎを行う食器洗浄機においては、洗浄水として常温の水が供給され、漂白剤の使用あるいは漂白剤入り洗剤の使用にあっては洗浄水の温度が所定温度以下に保たれるように加熱手段の通電を制御することにより、漂白剤の漂白効果が失われることを防止していた（例えば、特許文献１参照。）。
また、食器洗浄機に水と未溶解の食塩が供給される電気分解装置を設けて、家庭用塩素系漂白剤を購入しなくても、家庭に常時ある食塩を用い、電気分解することにより、次亜塩素酸ソーダを容易に食器洗浄機内でつくるものがある。ヒーターには通電しないようにして、電気分解液を常温の冷たい洗浄水と共に洗浄槽内で噴射又は循環させるので、塩素の洗浄水中への溶解が促進されると共に生成した次亜塩素酸ソーダが酸化される副反応の恐れが少ない利点がある（例えば、特許文献２参照。）。
【０００３】
【特許文献１】
特開２０００−１８５０１０号公報
【特許文献２】
特許第３２４５９５８号公報
【０００４】
【発明が解決しようとする課題】
食器洗浄機においては、洗浄運転時の加熱時間の短縮により運転時間と電気代を小さくするために、予め高温のお湯を洗浄水として供給、すなわち給湯接続する場合があった。さらに、貯湯式の給湯設備と接続した場合は高温のお湯が常時貯留されているため、給湯設備の運転を停止しても食器洗浄機には高温のお湯が供給されるものであった。このような給湯接続の場合は高温のお湯が供給されるため、常温の水の供給を前提としたヒーターの加熱制御では、洗浄水の温度を漂白に有効な温度にすることができず、漂白効果の失活や、漂白成分が揮発してしまう問題があった。
本発明は、上記課題を解決するためになされたもので、本発明の目的は、給湯接続の場合でも有効な漂白運転が可能な食器洗浄機を提供することにある。
【０００５】
【課題を解決するための手段】
上記目的を達成するために本発明においては、食器等の被洗浄物を収納する洗浄槽と、該洗浄槽に洗浄水を供給する給水手段と、該給水手段で給水された洗浄水中に漂白成分を含有させる漂白手段と、該漂白成分を含有する洗浄水を噴射させて被洗浄物を漂白洗浄する洗浄手段と、該漂白成分を含有する洗浄水を洗浄槽から排出する排水手段とを備え、食器の漂白洗浄を行う漂白工程を含む複数の工程を実行する食器洗浄機において、漂白工程での給水中に洗浄水の温度を検知し、該温度が所定温度以上のときに、給水を停止して高温給水状態であることを報知して、一定時間経過後自動的にもしくはスイッチ操作により給水を再開するようにしたので、高温のお湯が供給されたことが使用者にも認知でき、給湯設備の温度設定を変更して低温水が供給されるようにすることができる。このため、漂白洗浄の際に漂白成分の揮発を抑えて失活することなく漂白効果を維持することができ、さらに接水部品の劣化を防止できる。
【０００６】
また、報知は、前記漂白工程を実行する前の工程で供給された洗浄水の温度が前記所定温度以上のとき、該漂白工程での給水開始前に実行するようにしたので、使用者が報知を認知して給湯の設定温度を低温に変更すれば、漂白工程での給水は最初から低温の湯水とすることができるので洗浄水の温度がより低くなりやすい。
【０００７】
また、漂白工程で供給された洗浄水の温度が所定温度以上のときに、冷却手段により洗浄水を冷却するようにしたので、使用者の不在や、給湯設備の機能上の問題などで給湯温度を低くできない場合でも、有効な漂白運転を継続して実行することができる。
したがって、本発明によれば、給湯接続の場合でも使い勝手がよく、有効な漂白運転を実行できる食器洗浄機を提供することができる。
【０００８】
【発明の実施の形態】
以下に、本発明の実施の形態について、図面を参照しながら説明する。
図１は本発明の一実施形態の食器洗浄機の内部構造図である。食器洗浄機１は内部に洗浄水を溜める洗浄槽２を備え、洗浄槽２に食器を出し入れするための扉５０と、洗浄槽２の内部に食器を収納する食器かご３と、食器に向けて洗浄水を噴射するノズル４を備える。洗浄槽２の下方にはポンプ５を備え、ポンプ５はノズル４から食器に向けて洗浄水を噴射するべく、洗浄水を圧送する。また洗浄槽２には洗浄水を加熱する温水ヒーター９および洗浄水の温度を検出する温水温度検出手段１０を備える。温水ヒーター９は、温水温度検出手段１０の出力に基づいて運転され、洗浄水を所定温度に加熱する。
【０００９】
洗浄槽２内へ洗浄水の供給を行う給水手段としては給水経路６と給水経路６の開閉を行う電磁弁７を備え、洗浄槽２内に溜めた洗浄水の水位を検出する水位検出手段８を備えて、所定の水位まで洗浄水を溜めるように電磁弁７の開閉を行うことができる。給水経路６は図示しない給湯設備と連通して、洗浄水として高温のお湯が供給される。低温の水が供給されるのに比べて、高温のお湯が供給される場合は、所定温度までの加熱時間が短くてすみ、加熱に要するエネルギーやコストたとえば電気代を小さくできる。ポンプ５は、洗浄水を食器に向けて噴射する洗浄手段としての機能と、洗浄水を食器洗浄機１の外部へと排出する排水手段としての機能とを合わせもつようにしてもよく、その場合はポンプ５は排水経路１１に連通する。ポンプ５、電磁弁７、温水ヒーター９を適宜運転することにより、所定温度で所定の水量の洗浄水によって食器の洗浄を行うことができる。
【００１０】
洗浄槽２の内部には洗浄水中の残飯や汚れを捕捉するフィルター１７を備え、フィルター１７は、洗浄水中の残飯や汚れが洗浄水中に浮遊して洗浄手段であるノズル４やポンプ５を詰まらせるのを防止し、またこれらの残飯や汚れが食器に再度付着するのを防止する。
【００１１】
また、食器洗浄機１には、洗浄水に漂白成分を含有させる漂白手段１９を備える。漂白手段１９としては、洗浄水に漂白剤を自動添加する装置であってもよいし、図１に示すように、洗浄水の電気分解手段２０を備え、食塩を含有した洗浄水を電気分解することで、洗浄水中に遊離塩素を生成するようにしてもよい。
【００１２】
また、食器洗浄機１には、洗浄槽２に風を送り込む送風ファン１２と、送風ファン１２によって送り込まれる風を加熱する温風ヒーター１３と、送風ファン１２によって送り込まれた風を機外に排出する排気口１４を備えて、食器の乾燥も行えるようにしてもよい。食器洗浄機１の内部には制御装置１５を備え、食器洗浄機１の前面には操作パネル３９を備えている。
【００１３】
図３は本発明の一実施形態の食器洗浄機の操作パネルの概略図である。操作パネル３９には、電源の入／切を行う電源スイッチ２５、運転の開始および一時停止を行うスタート／一時停止スイッチ２６、洗浄コースを選択する洗浄コーススイッチ２７、漂白の実施可否を選択する漂白スイッチ２８、乾燥コースを選択する乾燥選択スイッチ２９を備える。洗浄コーススイッチ２７は、あらかじめ設定されている複数の洗浄コースの中から運転する洗浄コースを選択するスイッチである。
【００１４】
漂白スイッチ２８は、先に洗浄コーススイッチ２７で洗浄コースが選択されたあとで漂白スイッチ２８が選択されたときには、洗い工程の後に実行されるすすぎ工程での漂白を実行し、漂白スイッチ２８のみが選択されたときには、洗い工程を行わずにすすぎ工程での漂白から実行するスイッチである。また、洗浄コーススイッチ２７で洗浄コースが選択されたあとでも、漂白スイッチ２８が例えば連続して３秒以上押されたときには、洗い工程を行わずにすすぎ工程での漂白から実行するようにしてもよいし、漂白スイッチ２８が押されたときは、洗浄コーススイッチ２７での洗浄コースの選択に関わらず、洗い工程を行わずにすすぎ工程での漂白から実行するようにしてもよい。
【００１５】
乾燥選択スイッチ２９は、温風１５分、温風３０分、温風６０分、送風６０分といったあらかじめ設定されている複数の乾燥コースの中から運転する乾燥コースを選択するスイッチである。また、洗浄を行わずに乾燥のみを行いたい場合に選択する乾燥のみスイッチ３０を備える。乾燥選択スイッチ２９は、洗浄コーススイッチ２７にて洗浄コースのいずれかが選択された場合も、乾燥のみスイッチ３０で乾燥のみ運転が選択された場合にも設定可能である。
【００１６】
また、操作パネル３９には、運転状況として実行中の工程を表示する工程表示ＬＥＤ３１、選択された洗浄コースおよび乾燥コースを表示する選択コース表示ＬＥＤ３２、漂白の実行の有無を表示する漂白ＬＥＤ３３を備える。さらに操作パネル３９に、漂白における食塩の投入タイミングを表示する食塩投入ＬＥＤ３４、洗浄水の温度が所定の温度よりも高温であることを表示する高温ＬＥＤ３５を備える。また操作パネル３９もしくは制御装置１５にブザー３８を備えて、操作パネル３９のＬＥＤ３１乃至３５の点灯や点滅に合わせてブザー３８を鳴らすようにしてもよい。
【００１７】
図２は本発明の一実施形態の食器洗浄機の制御ブロック図である。制御装置１５はマイクロコンピュータ２１を備え、マイクロコンピュータ２１は、その内部にあらかじめプログラミングされたプログラムが記憶されており、入力回路２２からの信号を演算しながら、記憶されたプログラムに基づき外部の出力回路２３および駆動回路２４に信号を出力することによって、食器の洗浄および乾燥の一連の動作を行ったり、運転状態やエラーなどの表示や報知を行うものである。
【００１８】
食器洗浄機１による食器の洗浄は、洗い工程、すすぎ工程、最終すすぎ工程を逐次実行することによって行われ、各工程の実施回数ならびに各工程における実施時間および洗浄水の加熱到達温度があらかじめマイクロコンピュータ２１内部のプログラムとして設定された洗浄コースを使用者が選択して実行するもので、食器の汚れや量に応じて洗浄コースを選択できるように、設定の異なる複数の洗浄コースを備える。同様に食器の乾燥については、乾燥時間および乾燥温度の異なる複数の乾燥コースから選択できる。
【００１９】
洗い工程、すすぎ工程、最終すすぎ工程のそれぞれの工程内においては、給水工程、循環工程、排水工程が逐次実行される。すなわち給水工程では、電磁弁７を開成し洗浄槽２内に洗浄水を供給し、水位検出手段８からの信号によって所定の水位まで到達したことをマイクロコンピュータ２１が認識すると電磁弁７を閉止する。循環工程では洗浄槽２内の洗浄水をポンプ５がノズル４に圧送し、食器に向かって噴射し、洗浄槽２内の洗浄水を循環する。必要に応じてポンプ５の間欠動作と連続動作を組合せたり、温水ヒーター９によって洗浄水を加熱する。洗浄水の排水工程では洗浄槽２内の洗浄水をポンプ５によって食器洗浄機１の外部に排出する。なお、給水工程中に温水温度検出手段１０からの信号によって洗浄水が所定温度以上、例えば７５℃以上であるとマイクロコンピュータ２１が認識すると電磁弁７を閉止して、循環工程を実行せずに排水工程を実行し、その後の運転を停止して給水温度の異常高温報知を行う。
【００２０】
洗い工程、すすぎ工程、最終すすぎ工程の何れかの工程において食器の漂白が実行される場合も同様に、何れかの工程内において、給水工程、循環工程、排水工程が逐次実行される。すなわち給水工程では、電磁弁７を開成して洗浄槽２に洗浄水を供給し、水位検出手段８からの信号によって所定の水位まで到達したことをマイクロコンピュータ２１が認識すると電磁弁７を閉止する。循環工程においては漂白手段１９により洗浄水中に漂白成分を含有させながら、ポンプ５による洗浄水の噴射および循環を行なう。排水工程では洗浄槽２内の洗浄水をポンプ５によって食器洗浄機１の外部に排出する。
【００２１】
なお、給水工程における所定の水位は、漂白を実行しない場合と異なる水位としてもよい。たとえば低水位とすれば少量の漂白成分でも高濃度となるので含有させる漂白成分は少量ですむ。この場合、循環工程の実行後に所定の高水位までさらに洗浄水を給水してから、排水工程を実行すると、漂白成分を希釈して排水することができる。
【００２２】
図４は本発明の一の実施形態の食器洗浄機のフローチャートである。漂白を行う工程（漂白工程）においては、給水工程では電磁弁７を開成し、給水開始から所定時間後の給水工程中に洗浄水が所定温度以上、例えば４５℃以上であることを検出したときは、電磁弁７を閉止して高温ＬＥＤ３５を点灯し、ブザー３８を鳴らして給水温度の高温報知を行う。高温報知により使用者が給湯設備の温度設定を変更して、スタート／一時停止スイッチ２６または何れかのスイッチを押すと、電磁弁７を開いて給水工程から運転を再開する。低温の水が供給されて洗浄水の温度は所定温度よりも低くなり、高温のお湯に漂白成分を含有させることが回避されるため、高温と漂白成分による接水部品の劣化を抑えられ、また漂白成分の揮発や失活がなくなる。高温報知から所定時間が経過した場合には、スタート／一時停止スイッチ２６または何れかのスイッチが押されなくても、給水工程を再開し、所定の水位に到達したら給水工程を終了する。給水された洗浄水が所定温度以下であれば、その後の漂白運転が有効に実行できる。なお、給水停止後の高温報知の前に洗浄水を排水してもよく、洗浄水が置換されるために洗浄水の温度が低くなりやすい。
【００２３】
また、漂白工程の前の工程で給水された洗浄水の温度が所定温度以上だったときには、漂白工程で給水される洗浄水の温度も所定温度以上になると予想されることから、漂白工程での給水開始前に高温ＬＥＤ３５を点滅させてブザー３８を鳴らして高温報知を予報するようにしてもよい。使用者が報知を認知して給湯の設定温度を低温に変更すれば、漂白工程での給水は最初から低温の湯水とすることができるので洗浄水の温度がより低くなりやすい。高温報知後は、スタート／一時停止スイッチ２６または何れかのスイッチが押されるか所定時間が経過した場合に、給水工程を再開し、所定の水位に到達したら給水工程を終了する。
【００２４】
また、高温報知の有無を、所定のスイッチ操作で変更設定できるようにしてもよい。高温報知無しと設定すれば、漂白運転する場合に運転の最初から十分に低温の給湯温度設定にしておけば、報知音にわずらわされずに運転でき使い勝手がよい。また、夜間や報知音を出したくないときにも、静かに漂白運転することができる。
【００２５】
図５は本発明の一の実施形態の食器洗浄機のフローチャートである。給水工程の終了後に洗浄水が所定温度以上の場合は、循環工程において洗浄水が冷却される冷却工程が実行される。すなわち、漂白手段１９を動作させずにポンプ５により洗浄水の噴射、循環を行うと同時に、送風ファン１２を運転して外部の空気を洗浄槽２内に取り込み、取り込んだ空気と洗浄水との熱交換によって、洗浄水の温度を下げる。洗浄水を噴射、循環することで洗浄水と空気の接触が促進され、熱の移動が生じ易くなる。ポンプ５と送風ファン１２の動作は間欠動作と連続動作を組合せることができ、温度低下度合いから適切な動作を設定すればよい。冷却工程の間は高温ＬＥＤ３５を点滅させて、洗浄水を冷却中であることを使用者が認知できるようにしてもよい。冷却工程が終了したら高温ＬＥＤ３５は消灯する。この冷却工程の場合、洗浄槽２とノズル４とポンプ５と送風ファン１２を冷却手段であるということができる。
【００２６】
冷却工程によって洗浄水の温度が所定温度以下になったら、送風ファンを停止して、漂白手段１９の動作を開始する。漂白手段１９の動作が開始してから、循環工程として予め設定された運転時間が経過すると、循環工程を終了し、図示しない排水工程を実行する。循環工程の実際の運転時間は、予め設定された時間よりも洗浄水の冷却に費やした時間だけ延長されるものの、供給された高温の湯を捨てること無しに漂白工程に利用できるので、無駄水が生じない使用水量の少ない食器洗浄機を提供することができる。
【００２７】
なお、冷却工程においてはポンプ５および送風ファン１２を運転しないようにしてもよく、その場合に洗浄水が前記所定温度以上である間は高温ＬＥＤ３５を点滅する。その間に洗浄水の熱が徐々に放散され温度低下していき、洗浄水の温度が所定温度以下になったら、高温ＬＥＤ３５を消灯して、漂白工程を継続する。また、ヒートポンプやペルチェ素子などの冷熱源を冷却手段として食器洗浄機に備えて、洗浄水を冷却する構成とすることもできる。使用者の不在や、給湯設備の機能上の問題などで給湯温度を低くできない場合でも、有効な漂白運転を継続して実行することができる。
【００２８】
洗浄水が所定温度以上である場合のさらに別の実施形態として、洗浄水温度に応じて循環工程での漂白手段１９と洗浄手段であるポンプ５を制御するものとする。洗浄水の温度が高いと漂白成分が揮発しやすくなる傾向にあるので、揮発する漂白成分の量を所定の範囲以内に収める考え方と、洗浄水中に残留する漂白成分の濃度や総量を所定の値以上に維持する考え方ができる。すなわち、前者はで、漂白成分の揮発による臭気の発生や、接水部品の劣化を抑えることができ、後者では、漂白効果を優先するものである。前者の場合、洗浄水が所定温度以上のときは、漂白手段１９およびポンプ５は低出力としたり、間欠的に動作させる。
洗浄水が所定温度未満のときは高出力としたり、連続的に動作させる。洗浄水温度に応じて連続的に出力を可変にしたり、間欠動作の間隔を変更したりしてもよいし、漂白手段１９とポンプ５のいずれか一方を制御するものでもよい。後者の場合は、洗浄水が所定温度以上のときは、漂白手段１９は高出力としたり、連続的に動作させる一方で、ポンプ５は低出力としたり、間欠的に動作させる。洗浄水が所定温度未満のときは逆に、漂白手段１９は低出力としたり、間欠的に動作させる一方で、ポンプ５は高出力としたり、連続的に動作させる。運転時間が経過すると、循環工程を終了し、排水工程を実行する。
【００２９】
好ましくは、漂白手段は洗浄水の温度によらず一定の出力の連続動作とし、ポンプ５を洗浄水が所定温度以上のときは間欠的に動作させ、所定温度未満のときは連続的に動作させるようにすれば、漂白成分の揮発を抑えつつ漂白成分の濃度を維持できるため、臭気の発生や、接水部品の劣化を抑えながら、漂白効果を確保するものである。洗浄水を捨てることがないので、無駄水が発生しなくてすむのと、温度の低下を待つ時間がなくなるため循環工程の運転時間が短くてすむ利点がある。
【００３０】
上述の洗浄水の温度に関連した対応は、洗い工程、すすぎ工程、最終すすぎ工程の何れかの工程において食器の漂白が実行される場合も同様で、また洗い工程の後に実行されるすすぎ工程で漂白が実行される場合と、洗い工程を行わずにすすぎ工程での漂白から実行される場合も、同様に対応してもよい。さらに、予洗い工程で漂白が実行される場合や、乾燥工程での残水に漂白成分を含有させる場合でも同様に対応することができる。
【００３１】
なお、漂白手段１９として洗浄水の電気分解手段２０を備える場合には、食塩を含有した洗浄水を電気分解することで、洗浄水中に遊離塩素を生成させるが、このときの食塩は、使用者に洗浄槽２内への食塩の投入を促して、洗浄水に添加されるようにしてもよいし、食塩の自動添加手段を給水経路６に備えるようにしてもよい。
【００３２】
また、図１において、食器洗浄機１の給水経路６は図示しない給湯設備と連通して、洗浄水として高温のお湯が供給されるようにしていたが、漂白が実行される工程では給湯設備の設定温度が低く、その他の工程では給湯設備の設定温度が高くなるよう自動的に変更するように、食器洗浄機１と給湯設備とを連動させてもよい。また、上水道に連通した給水経路と、給湯設備に連通した給水経路とを食器洗浄機に接続して、それぞれの給水経路を開閉する電磁弁を備えて、漂白が実行される工程では上水道に連通した給水経路からの給水を行い、その他の工程では給湯設備からの給湯を行うように、それぞれの電磁弁を開閉させるようにしてもよい。洗浄水に漂白成分を含ませた運転工程においては自動的に低温水を供給したり、洗浄水に漂白成分を含まない洗浄やすすぎを行う運転工程においては自動的に高温水を供給したりすることで、使用者をわずらわせない使い勝手のよさと、高い漂白効果と、洗浄効果およびすすぎ効果が得られる。
【００３３】
なお、本発明の内容を逸脱しない範囲でいかなる実施の形態も取ることができるのは言うまでもない。
【００３４】
【発明の効果】
本発明は上記構成により、以下の効果を有する。漂白洗浄を行う際に問題となる高温のお湯が供給されたことが、高温報知により使用者にも認知でき、給湯設備の温度設定を変更して低温水が供給されるようにすることができる。このため、漂白洗浄の際に漂白成分の揮発を抑えて失活することなく漂白効果を維持することができ、さらに接水部品の劣化を防止できる。また、高温報知の有無を選択可能としたので、高温報知無しと設定すれば、漂白運転する場合に運転の最初から十分に低温の給湯温度設定にしておけば、報知音にわずらわされずに運転できるので使い勝手がよい。また、夜間や報知音を出したくないときにも、静かに漂白運転することができる。さらには、使用者の不在や、給湯設備の機能上の問題などで給湯温度を低くできない場合でも、有効な漂白運転を継続して実行することができ、無駄水が生じない使用水量の少ない食器洗浄機を提供することができる。したがって、本発明によれば、給湯接続の場合でも使い勝手がよく、有効な漂白運転を実行できる食器洗浄機を提供することができる。
【図面の簡単な説明】
【図１】本発明の一実施形態の食器洗浄機の内部構造図。
【図２】本発明の一実施形態の食器洗浄機の制御ブロック図。
【図３】本発明の一実施形態の食器洗浄機の操作パネルの概略図。
【図４】本発明の一実施形態の食器洗浄機のフローチャート。
【図５】本発明の一実施形態の食器洗浄機のフローチャート。
【符号の説明】
１：食器洗浄機、２：洗浄槽、３：食器かご、４：ノズル、５：ポンプ、６：給水経路、７：電磁弁、８：水位検出手段、９：温水ヒーター、１０：温水温度検出手段、１１：排水経路、１２：送風ファン、１３：温風ヒーター、１４：排気口、１５：制御装置、１７：フィルター、１９：漂白手段、２０：電気分解手段、２１：マイクロコンピュータ、２２：入力回路、２３：出力回路、２４：駆動回路、２５：電源スイッチ、２６：スタート／一時停止スイッチ、２７：洗浄コーススイッチ、２８：漂白スイッチ、２９：乾燥選択スイッチ、３０：乾燥のみスイッチ、３１：工程表示ＬＥＤ、３２：選択コース表示ＬＥＤ、３３：漂白ＬＥＤ、３４：食塩投入ＬＥＤ、３５：温度異常ＬＥＤ、３８：ブザー、３９：操作パネル、５０：扉、５１：扉検出手段
【図１】
2004223165.tif 000003
【図２】
2004223165.tif 000004
【図３】
2004223165.tif 000005
【図４】
2004223165.tif 000006
【図５】
2004223165.tif 000007